(57)【要約】【課題】系統および需要家間の接続をより自律的に制御することが可能な開閉装置を提供する。【解決手段】高圧系統１と、柱上変圧器２を介して高圧系統１に接続される低圧系統３と、低圧系統３に接続される需要家１００とを含む電力制御システム１０００に用いられる開閉装置５００は、柱上変圧器２と低圧系統３との間に接続される系統開閉器４と、系統開閉器４の一次側の電力供給量に基づいて、系統開閉器４の開閉動作を制御するコントローラ１０と、低圧系統３と需要家１００との間に接続される開閉器１１と、開閉器１１の一次側の電力供給量と開閉器１１の二次側の電力供給量とに基づいて、開閉器１１の開閉動作を制御するコントローラ２０とを含む。【選択図】図１
2014171378.tif 000002
【特許請求の範囲】
【請求項１】
高圧系統と、変圧器を介して前記高圧系統に接続される低圧系統と、前記低圧系統に接続される需要家とを含む電力制御システムに用いられる開閉装置であって、
前記変圧器と前記低圧系統との間に接続される第１の開閉器と、
前記第１の開閉器における、前記変圧器側に対応する一次側の電力供給量に基づいて、前記第１の開閉器の開閉動作を制御する第１のコントローラと、
前記低圧系統と前記需要家との間に接続される第２の開閉器と、
前記第２の開閉器の前記一次側の電力供給量と、前記第２の開閉器における、前記需要家側に対応する二次側の電力供給量とに基づいて、前記第２の開閉器の開閉動作を制御する第２のコントローラとを備える、開閉装置。
【請求項２】
前記第２のコントローラは、前記第２の開閉器の前記一次側または前記二次側から電力供給を受けたとき、前記第２の開閉器を閉路動作させて前記低圧系統と前記需要家とを接続し、前記第２の開閉器の前記一次側および前記二次側のいずれからも電力供給を受けていないとき、前記第２の開閉器を開路動作させて前記低圧系統と前記需要家とを遮断する、請求項１に記載の開閉装置。
【請求項３】
前記第１のコントローラは、前記第１の開閉器の前記一次側から電力供給を受けたとき、前記第１の開閉器を閉路動作させて前記高圧系統と前記低圧系統とを接続し、前記第１の開閉器の前記一次側から電力供給を受けていないとき、前記第１の開閉器を開路動作させて前記高圧系統と前記低圧系統とを遮断する、請求項１または２に記載の開閉装置。
【請求項４】
前記第２の開閉器は、接点を閉路するための第１のコイルと、前記接点を開路するための第２のコイルとを含み、
前記第２のコントローラは、コンデンサと、ブレーク接点を有するリレーとを含み、
前記第２のコントローラは、
前記第２の開閉器の前記一次側または前記二次側から電力供給を受けたとき、当該電力により前記第１のコイルを励磁して前記接点を閉路させ、かつ当該電力を前記コンデンサに充電し、
前記第２の開閉器の前記一次側または前記二次側から電力供給を受けていないとき、前記リレーを介して前記コンデンサに充電された電力を放電することで前記第２のコイルを励磁して前記接点を開路させる、請求項１〜３のいずれか１項に記載の開閉装置。
【請求項５】
前記第１の開閉器は、接点を閉路するための第１のコイルと、前記接点を開路するための第２のコイルとを含み、
前記第１のコントローラは、コンデンサと、ブレーク接点を有するリレーとを含み、
前記第１のコントローラは、
前記第１の開閉器の前記一次側から電力供給を受けたとき、当該電力により前記第１のコイルを励磁して前記接点を閉路させ、かつ当該電力を前記コンデンサに充電し、
前記第１の開閉器の前記一次側から電力供給を受けていないとき、前記リレーを介して前記コンデンサに充電された電力を放電することで前記第２のコイルを励磁して前記接点を開路させる、請求項１〜４のいずれか１項に記載の開閉装置。
【請求項６】
前記リレーは、電力が供給されると瞬時に前記ブレーク接点を開路し、電力が供給されなくなると一定時間遅れて前記ブレーク接点を閉路する、請求項４または５に記載の開閉装置。
【請求項７】
前記第１および第２の開閉器は、機械ラッチ式電磁開閉器を含む、請求項１〜６のいずれか１項に記載の開閉装置。
【請求項８】
前記第１のコントローラは、
前記第１の開閉器が開路状態である場合であって、かつ、前記第１の開閉器の前記一次側に電力が供給されており前記第１の開閉器の前記二次側に電力が供給されていない場合には前記第１の開閉器を閉路動作させ、
前記第１の開閉器が開路状態である場合であって、かつ、前記第１の開閉器の前記二次側に電力が供給されている場合には前記第１の開閉器の当該開路状態を維持し、
前記第１の開閉器が閉路状態である場合であって、かつ、前記第１の開閉器の前記一次側に電力が供給されている場合には前記第１の開閉器の当該閉路状態を維持し、
前記第１の開閉器の前記一次側に電力が供給されていない場合には、前記第１の開閉器を開路動作させる、請求項１〜７のいずれか１項に記載の開閉装置。
【請求項９】
前記第１の開閉器の前記一次側と前記第１のコントローラとの間に設けられた接続制御リレーをさらに備え、
前記接続制御リレーは、前記第１の開閉器の前記二次側から供給される電力を受けたとき、前記第１の開閉器の前記一次側と前記第１のコントローラとを遮断し、前記第１の開閉器の前記二次側から供給される電力を受けないとき、前記第１の開閉器の前記一次側と前記第１のコントローラとを接続する、請求項１〜８のいずれか１項に記載の開閉装置。
【請求項１０】
前記第２のコントローラは、
前記第２の開閉器が開路状態である場合であって、かつ、前記第２の開閉器の前記一次側および前記二次側のいずれか一方に電力が供給されている場合には前記第２の開閉器を閉路動作させ、
前記第２の開閉器が開路状態である場合であって、かつ、前記第２の開閉器の前記一次側および前記二次側に電力が供給されている場合には前記第２の開閉器の当該開路状態を維持し、
前記第２の開閉器が閉路状態である場合であって、かつ、前記第１の開閉器の前記一次側および前記二次側の少なくとも一方に電力が供給されている場合には前記第２の開閉器の当該閉路状態を維持し、
前記第２の開閉器の前記一次側および前記二次側に電力が供給されていない場合には、前記第１の開閉器を開路動作させる、請求項１〜９のいずれか１項に記載の開閉装置。
【請求項１１】
前記第２の開閉器の前記一次側と前記第２のコントローラとの間に設けられた第１の制御リレーと、
前記第１の制御リレーと前記第２のコントローラとの間に設けられた第２の制御リレーと、
前記第２の開閉器の前記二次側と前記第２のコントローラとの間に設けられた第３の制御リレーと、
前記第３の制御リレーと前記第２のコントローラとの間に設けられた第４の制御リレーとをさらに備え、
前記第１の制御リレーは、前記第２の開閉器の前記二次側から供給される電力を受けていないとき、前記第２の開閉器の前記一次側と前記第２の制御リレーとを接続させ、
前記第２の制御リレーは、前記第１の制御リレーを介して前記第２の開閉器の前記一次側から供給される電力を受けたとき、前記第２の開閉器の前記一次側と前記第２のコントローラとを接続させ、
前記第３の制御リレーは、前記第２の開閉器の前記一次側から供給される電力を受けたとき、前記第２の開閉器の前記二次側と前記第４の制御リレーとを接続させ、
前記第４の制御リレーは、前記第３の制御リレーを介して前記第２の開閉器の前記二次側から供給される電力を受けたとき、前記第２の開閉器の前記二次側と前記第２のコントローラとを接続させる、請求項１〜１０のいずれか１項に記載の開閉装置。
【請求項１２】
前記第４の制御リレーは、電力が供給されると一定時間遅れて閉路動作し、電力が供給されなくなると瞬時に開路動作する、請求項１１に記載の開閉装置。
【請求項１３】
高圧系統と、変圧器を介して前記高圧系統に接続される低圧系統と、前記低圧系統に接続される複数の需要家とを含む電力制御システムであって、
前記複数の需要家のうち少なくとも１つの需要家は、前記低圧系統に系統連系されている分散型電源を有し、
前記電力制御システムは、
前記変圧器と前記低圧系統との間に接続される第１の開閉器と、
前記第１の開閉器における、前記変圧器側に対応する一次側の電力供給量に基づいて、前記第１の開閉器の開閉動作を制御する第１のコントローラと、
前記需要家ごとに設けられ、前記低圧系統と前記需要家との間に接続される第２の開閉器と、
前記需要家ごとに設けられ、前記第２の開閉器の前記一次側の電力供給量と、前記第２の開閉器における、前記需要家側に対応する二次側の電力供給量とに基づいて、前記第２の開閉器の開閉動作を制御する第２のコントローラとを備える、電力制御システム。
【請求項１４】
前記変圧器と前記第１のコントローラとを接続または遮断する第３の開閉器をさらに備え、
前記第３の開閉器は、外部装置からの閉路指令に応じて、前記変圧器と前記第１のコントローラとを接続し、前記外部装置からの開路指令に応じて、前記変圧器と前記第１のコントローラとを遮断する、請求項１３に記載の電力制御システム。
【請求項１５】
前記第１のコントローラは、前記高圧系統が復電した場合であって、かつ前記第３の開閉器が前記変圧器と前記第１のコントローラとを接続した場合に、前記第１の開閉器を閉路動作させて前記高圧系統と前記低圧系統とを接続する、請求項１４に記載の電力制御システム。
【請求項１６】
前記第３の開閉器に含まれるブレーク接点は、前記第２の開閉器の前記二次側と前記第２のコントローラとの間に設けられている、請求項１４または１５に記載の電力制御システム。
【請求項１７】
前記分散型電源は、太陽光発電装置を含み、
前記分散型電源を有する前記需要家は、前記分散型電源から供給される電力を制御するパワーコンディショナを有する、請求項１３〜１６のいずれか１項に記載の電力制御システム。
【発明の詳細な説明】
【技術分野】
【０００１】
本発明は、高圧系統と、低圧系統と、当該低圧系統に接続される需要家とを含む電力制御システムに用いられる開閉装置、および当該電力制御システムに関する。
【背景技術】
【０００２】
近年、環境保護等の観点から環境への影響の少ない太陽電池や燃料電池のような分散型電源の普及が拡大している。これら分散型電源は、一般的には電力会社の配電系統に系統連系される。配電系統は、高圧系統（３３００Ｖ〜６６００Ｖ）と低圧系統（１００Ｖ〜２００Ｖ）とから構成され、一般需要家は低圧系統に接続されている。このような分散型電源の普及および拡大の中、電力系統の安定化、電力需給均衡化などの観点から蓄電池の活用も検討されている。ここで、需要家が有する分散型電源を用いる技術として、以下のような技術が開示されている。
【０００３】
例えば、特開２００８−１２５２９０号公報（特許文献１）には、低圧系統の自立運転方法が開示されている。当該自立運転方法は、マスター分散型電源を有する需要家とスレーブ分散型電源を有する需要家を含む複数の需要家に電力を供給すると共に分散型電源が系統連系されている低圧系統を、その上位系統である高圧系統の異常時に当該高圧系統から分離する。当該自立運転方法は、マスター分散型電源によって低圧系統の電圧を維持し、各需要家毎に電力の過不足を算出し、電力が余剰する需要家の余剰電力を電力が不足する需要家に供給する。
【先行技術文献】
【特許文献】
【０００４】
【特許文献１】特開２００８−１２５２９０号公報
【発明の概要】
【発明が解決しようとする課題】
【０００５】
特許文献１によると、通信機能を有する低圧系統管理装置が低圧開閉器、需要家管理装置との間で信号の送受信を行なってこれらを操作や監視等を行なうことについて示されている。特許文献１の技術では、低圧系統ごとに低圧系統管理装置が必要となる。ここで、低圧系統は、１０戸程度の需要家であるため、各々の低圧系統ごとに上記のような管理装置を設けて、低圧開閉器などを制御することが困難である。したがって、高圧系統と低圧系統との接続制御、および低圧系統と需要家との接続制御などはできるだけ自律的に行なわれることが必要とされている。
【０００６】
本発明は、上記のような問題点を解決するためになされたものであって、その目的は、系統および需要家間の接続をより自律的に制御することが可能な開閉装置、および電力制御システムを提供することである。
【課題を解決するための手段】
【０００７】
ある実施の形態に従うと、高圧系統と、変圧器を介して高圧系統に接続される低圧系統と、低圧系統に接続される需要家とを含む電力制御システムに用いられる開閉装置が提供される。開閉装置は、変圧器と低圧系統との間に接続される第１の開閉器と、第１の開閉器における、変圧器側に対応する一次側の電力供給量に基づいて、第１の開閉器の開閉動作を制御する第１のコントローラと、低圧系統と需要家との間に接続される第２の開閉器と、第２の開閉器の一次側の電力供給量と、第２の開閉器における、需要家側に対応する二次側の電力供給量に基づいて、第２の開閉器の開閉動作を制御する第２のコントローラとを含む。
【０００８】
別の実施の形態に従う電力制御システムは、高圧系統と、変圧器を介して高圧系統に接続される低圧系統と、低圧系統に接続される複数の需要家とを含む。複数の需要家のうち少なくとも１つの需要家は、低圧系統に系統連系されている分散型電源を有する。電力制御システムは、変圧器と低圧系統との間に接続される第１の開閉器と、第１の開閉器における、変圧器側に対応する一次側の電力供給量に基づいて、第１の開閉器の開閉動作を制御する第１のコントローラと、需要家ごとに設けられ、低圧系統と需要家との間に接続される第２の開閉器と、需要家ごとに設けられ、第２の開閉器の一次側の電力供給量と、第２の開閉器における、需要家側に対応する二次側の電力供給量とに基づいて、第２の開閉器の開閉動作を制御する第２のコントローラとを含む。
【発明の効果】
【０００９】
ある局面では、系統および需要家間の接続をより自律的に制御することが可能となる。
【図面の簡単な説明】
【００１０】
【図１】実施の形態１に従う開閉装置を含む電力制御システムの全体構成を示す図である。
【図２】実施の形態１に従う系統開閉器とその周辺の回路構成を示す図である。
【図３】実施の形態１に従う開閉器とその周辺の回路構成を示す図である。
【図４】実施の形態１に従うコントローラの回路構成を示す図である。
【図５】実施の形態１に従う開閉器、および制御リレーの開閉動作を説明するための図である。
【図６】実施の形態１に従う開閉装置を含む電力制御システムにおける停電時の動作を示すフローチャートである。
【図７】実施の形態１に従う開閉装置を含む電力制御システムおける停電時から復電時までの動作を示すフローチャートである。
【図８】本実施の形態２に従う開閉装置を含む電力制御システムの全体構成を示す図である。
【図９】本実施の形態２に従う系統開閉器とその周辺の回路構成を示す図である。
【図１０】実施の形態２に従う開閉器とその周辺の回路構成を示す図である。
【図１１】実施の形態２に従う系統開閉器、および制御リレーの開閉動作を説明するための図である。
【図１２】実施の形態２に従う開閉器、および制御リレーの開閉動作を説明するための図である。
【図１３】実施の形態２に従う開閉装置を含む電力制御システムにおける停電時の動作を示すフローチャートである。
【発明を実施するための形態】
【００１１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１２】
［実施の形態１］
＜Ａ．システムの全体構成＞
図１を参照して、実施の形態１に従う開閉装置を含む電力制御システムの全体構成について説明する。図１は、実施の形態１に従う開閉装置５００を含む電力制御システム１０００の全体構成を示す図である。
【００１３】
図１に示されるように、電力制御システム１０００は、高圧系統１と、柱上変圧器２と、低圧系統３と、監視サーバ６と、通信回線７と、無線サーバ９と、需要家１００Ａ，１００Ｂ，１００Ｃ（以下「需要家１００」とも総称する。）と、開閉装置５００とを含む。電力制御システム１０００は、高圧系統１と、低圧系統３とを含む電力系統から複数の需要家１００に供給される電力を制御する。
【００１４】
高圧系統１は、例えば、６．６ｋＶの三相高圧配電線から構成されている。柱上変圧器２は、高圧配電線に印加された６．６ｋＶの高圧電力を、家庭や工場で利用可能な１００Ｖや２００Ｖの低圧電力に変圧する。柱上変圧器２は、例えば、集合住宅の借室電気室の変圧器であってもよい。
【００１５】
低圧系統３は、１００Ｖまたは２００Ｖの低圧配電線から構成されている。低圧系統３は、柱上変圧器２および系統開閉器４を介して高圧系統１に接続されている。また、低圧系統３は、複数の需要家１００に接続され、柱上変圧器２を介して高圧系統１から受けた電力をそれぞれの需要家１００に供給する。
【００１６】
監視サーバ６は、通信機能を有し、通信回線７および後述する通信子局８を介して制御信号を後述する通信用リレー５に送信する。また、監視サーバ６は、高圧系統１の区間の停電や電圧低下等の異常を監視する。より具体的には、高圧系統１には図示しない電流センサ（または電圧センサ）が設置されており、監視サーバ６は、この電流センサ（または電圧センサ）からの情報（電流、電圧についての情報）に基づいて、高圧系統１の停電および異常などを検出する。監視サーバ６は、例えば、周知のコンピュータで構成されている。典型的には、監視サーバ６は、演算装置、記憶装置、入出力装置などのハードウェア資源を有し、演算装置が記憶装置に記憶されたプログラムを読み出し実行することで、後述する機能を発揮する。
【００１７】
ここで、本例では、複数の需要家１００のうち少なくとも１つの需要家は、低圧系統３に系統連系されている分散型電源を有する。より具体的には、需要家として、分散型電源を有する需要家１００Ａ，１００Ｃと、分散型電源を有しない需要家１００Ｂとが存在する。
【００１８】
需要家１００Ａは、スマートメータ１２Ａと、負荷１３Ａと、太陽光発電装置１４Ａと、蓄電池１５と、電気自動車１６と、パワーコンディショナ１７Ａとを含む。需要家１００Ｂは、スマートメータ１２Ｂと、負荷１３Ｂとを含む。需要家１００Ｃは、スマートメータ１２Ｃと、負荷１３Ｃと、太陽光発電装置１４Ｃと、パワーコンディショナ１７Ｃとを含む。なお、以下では、スマートメータ１２Ａ〜１２Ｃを「スマートメータ１２」、負荷１３Ａ〜１３Ｃを「負荷１３」とも総称する。
【００１９】
スマートメータ１２は、開閉器１１のすぐ下流に設けられており、負荷１３の状況を無線で無線サーバ９を介して監視サーバ６に送信し、監視サーバ６からの指令を受信する。なお、スマートメータ１２は、有線で監視サーバ６と情報をやりとりするように構成されていてもよい。また、スマートメータ１２は、監視サーバ６からの指令に基づいて、開閉器１１（およびコントローラ２０）と、パワーコンディショナ１７（および負荷１３）との間を接続または遮断できるように構成されていてもよい。
【００２０】
負荷１３は、例えば、家庭で使用される空調機、冷蔵庫、洗濯機、テレビ、照明装置またはパーソナルコンピュータのような電気機器である。負荷１３には、低圧系統３からの電力、またはパワーコンディショナ１７からの電力が供給される。
【００２１】
需要家１００Ａが有する太陽光発電装置１４Ａ、蓄電池１５、および電気自動車１６の蓄電池は、パワーコンディショナ１７Ａに接続されている。パワーコンディショナ１７Ａは、太陽光発電装置１４Ａ、蓄電池１５、電気自動車１６の蓄電池から供給される電力を負荷１３Ａに供給する。なお、需要家１００Ａは、蓄電池１５、電気自動車１６の蓄電池のいずれか一方を有していてもよいし、それぞれ複数台ずつ有していてもよい。また、以下では、蓄電池１５、および電気自動車１６の蓄電池を単に「蓄電池」とも総称する。
【００２２】
需要家１００Ｃが有する太陽光発電装置１４Ｃは、パワーコンディショナ１７Ｃに接続されている。パワーコンディショナ１７Ｃは、太陽光発電装置１４Ｃから供給される電力を負荷１３Ｃに供給する。
【００２３】
パワーコンディショナ１７Ａおよび１７Ｃは、低圧系統３に系統連系されている。パワーコンディショナ１７Ａは、マスター型であり、パワーコンディショナ１７Ｃは、スレーブ型である。したがって、パワーコンディショナ１７Ｃは、パワーコンディショナ１７Ａに同期する。パワーコンディショナ１７Ａおよび１７Ｃは、分散型電源から供給される電力を制御する。
【００２４】
開閉装置５００は、系統開閉器４（第１の開閉器）と、通信用リレー５と、通信子局８と、コントローラ１０と、開閉器１１Ａ，１１Ｂ，１１Ｃ（以下「開閉器１１」とも総称する。）と、コントローラ２０Ａ，２０Ｂ，２０Ｃ（以下「コントローラ２０」とも総称する。）とを含む。
【００２５】
系統開閉器４は、柱上変圧器２のすぐ下流に設けられており、柱上変圧器２と低圧系統３との間に接続される。系統開閉器４は、高圧系統１と低圧系統３とを接続または遮断する（切り離す）。系統開閉器４の詳細な構成については後述する。
【００２６】
通信用リレー５は、通信回線７および通信子局８を介して、監視サーバ６からの開閉指令を受けて、柱上変圧器２とコントローラ１０とを接続または遮断する。より具体的には、通信用リレー５は、閉路指令に応じて柱上変圧器２とコントローラ１０とを接続し、開路指令に応じて柱上変圧器２とコントローラ１０とを遮断する。なお、通信用リレー５は、監視サーバ６からの開閉指令を無線サーバ９を介して無線で受け取るように構成されていてもよい。
【００２７】
コントローラ１０は、系統開閉器４の一次側（柱上変圧器２側）の電力供給量に基づいて、系統開閉器４の開閉動作を制御する。換言すると、コントローラ１０は、高圧系統１から柱上変圧器２を介して受けた電力供給量に基づいて、系統開閉器４の開閉動作を制御する。より具体的には、コントローラ１０は、系統開閉器４の一次側から電力供給を受けた（受電した）とき、系統開閉器４を閉路動作させて高圧系統１と低圧系統３とを接続する。コントローラ１０は、系統開閉器４の一次側から電力供給を受けていないとき、系統開閉器４を開路動作させて高圧系統１と低圧系統３とを遮断する。また、コントローラ１０は、高圧系統１が復電した場合であって、かつ通信用リレー５が柱上変圧器２とコントローラ１０とを接続した場合に、系統開閉器４を閉路動作させて高圧系統１と低圧系統３とを接続する。
【００２８】
開閉器１１（第２の開閉器）は、需要家１００ごとに設けられ、低圧系統３と需要家１００との間に接続される。開閉器１１は、需要家１００と低圧系統３とを接続または遮断する。開閉器１１の詳細な構成については後述する。コントローラ２０は、需要家１００ごとに設けられ、開閉器１１の一次側（柱上変圧器２側）の電力供給量と、二次側（需要家１００側）の電力供給量とに基づいて、開閉器１１の開閉動作を制御する。より具体的には、コントローラ２０は、開閉器１１の一次側または二次側から電力の供給を受けたとき、開閉器１１を閉路動作させて低圧系統３と需要家１００とを接続する。コントローラ２０は、開閉器１１の一次側および二次側のいずれからも電力供給を受けていないとき、開閉器１１を開路動作させて低圧系統３と需要家１００とを遮断する。
【００２９】
上述した構成は一例であり、複数の需要家１００が分散型電源を有しない構成であってもよい。また、分散型電源を有する需要家１００が１軒であってもよいし、３軒以上存在する場合であってもよい。また、分散型電源は、太陽光発電装置１４に限られず、例えば、風力発電装置、地熱発電装置、マイクロガスタービン（ＭＧＴ）発電装置、燃料電池発電装置などであってもよい。
【００３０】
＜Ｂ．回路構成＞
（ｂ１．系統開閉器４とその周辺の回路構成）
図２は、実施の形態１に従う系統開閉器４とその周辺の回路構成を示す図である。なお、当該回路構成図は、単線図で示されている。
【００３１】
図２を参照して、系統開閉器４は、投入コイル４０と、引き外しコイル４１と、主接点４２とを含む。系統開閉器４は、一次側（柱上変圧器２側）の配線５１および二次側（需要家１００側）の配線５２に接続されている。主接点４２は、高圧系統１と低圧系統３とを接続または遮断する。
【００３２】
系統開閉器４は、主接点４２を閉路状態（ＯＮ状態）にするＯＮ信号を伝送するＯＮ信号配線５４、および主接点４２を開路状態（ＯＦＦ状態）にするＯＦＦ信号を伝送するＯＦＦ信号配線５５を介してコントローラ１０に接続されている。より具体的には、投入コイル４０は、ＯＮ信号配線５４に接続されており、ＯＮ信号を受けると励磁され、主接点４２を閉路状態にする。引き外しコイル４１は、ＯＦＦ信号配線５５に接続されており、ＯＦＦ信号を受けると励磁され、主接点４２を開路状態にする。
【００３３】
系統開閉器４は、例えば、機械ラッチ式の電磁開閉器であり、電磁開閉器に機械ラッチ機構が取り付けられている。系統開閉器４では、投入コイル４０が励磁されると、ラッチ機構により主接点４２の閉路状態が機械的に保持される。一方、引き外しコイル４１が励磁されると、ラッチ機構が外れて主接点４２が開路状態になる。これにより、系統開閉器４は、電力を常時消費することがないため、消費電力を抑えることができる。また、系統開閉器４は、電圧変動の影響も受けにくい。なお、電磁開閉器は、サーマルスイッチを含んでいてもよい。
【００３４】
通信用リレー５は、投入コイル４３と、引き外しコイル４４と、主接点４５とを含む。通信用リレー５は、配線５１に接続された配線５３に接続されている。主接点４５は、配線５３上に設けられており、柱上変圧器２とコントローラ１０とを接続または遮断する。
【００３５】
通信用リレー５は、主接点４５を閉路状態にするＯＮ信号を伝送するＯＮ信号配線５６、および主接点４５を開路状態にするＯＦＦ信号を伝送するＯＦＦ信号配線５７を介して通信子局８に接続される。より具体的には、投入コイル４３は、ＯＮ信号配線５６に接続されており、ＯＮ信号を受けると励磁され、主接点４５を閉路状態にする。引き外しコイル４４は、ＯＦＦ信号配線５７と接続されており、ＯＦＦ信号を受けると励磁され、主接点４５を開路状態にする。
【００３６】
通信用リレー５は、例えば、機械ラッチ式のリレーである。通信用リレー５では、投入コイル４３が励磁されると、ラッチ機構により主接点４５の閉路状態が機械的に保持される。一方、引き外しコイル４４が励磁されると、ラッチ機構が外れて主接点４５が開路状態になる。これにより、通信用リレー５は、系統開閉器４と同様に、電力を常時消費することがないため消費電力を抑えることができるとともに、電圧変動の影響も受けにくい。なお、通信用リレー５は、機械ラッチ式電磁開閉器であってもよい。
【００３７】
コントローラ１０は、配線５３および通信用リレー５を介して系統開閉器４の一次側の配線５１に接続されている。コントローラ１０は、ＯＮ信号配線５４、およびＯＦＦ信号配線５５に接続されている。
【００３８】
（ｂ２．開閉器１１とその周辺の回路構成）
図３は、実施の形態１に従う開閉器１１とその周辺の回路構成を示す図である。なお、当該回路構成図は、単線図で示されている。
【００３９】
図３を参照して、開閉器１１は、投入コイル４６と、引き外しコイル４７と、主接点４８とを含む。開閉器１１は、需要家１００ごとに設けられており、一次側（柱上変圧器２側）で配線６１に、二次側（需要家１００側）で配線６２に接続されている。主接点４８は、低圧系統３と需要家１００（スマートメータ１２、負荷１３、分散型電源など）とを接続または遮断する。
【００４０】
開閉器１１は、主接点４８を閉路状態にするＯＮ信号を伝送するＯＮ信号配線６４、および主接点４８を開路状態にするＯＦＦ信号を伝送するＯＦＦ信号配線６５を介してコントローラ２０に接続されている。より具体的には、投入コイル４６は、ＯＮ信号配線６４に接続されており、ＯＮ信号を受けると励磁され、主接点４８を閉路状態にする。引き外しコイル４７は、ＯＦＦ信号配線６５に接続されており、ＯＦＦ信号を受けると励磁され、主接点４８を開路状態にする。
【００４１】
開閉器１１は、例えば、系統開閉器４と同様の機械ラッチ式の電磁開閉器である。開閉器１１においては、投入コイル４６が励磁されるとラッチ機構により主接点４８の閉路状態が機械的に保持され、引き外しコイル４７が励磁されるとラッチ機構が外れて主接点４８が開路状態になる。これにより、開閉器１１は、系統開閉器４と同様に、電力を常時消費することがないため消費電力を抑えることができるとともに、電圧変動の影響も受けにくい。
【００４２】
制御リレー２００は、接点２０１と、操作コイル２０２とを含む。制御リレー２００は、配線６１に接続された配線６３に接続されている。接点２０１は、配線６３上に設けられており、配線６１とコントローラ２０とを接続または遮断する。より具体的には、開閉器１１の一次側から配線６１に電力が供給されている場合には（低圧系統３が停電していない場合）、操作コイル２０２は、配線６１および配線６３を介して、当該電力により励磁され、接点２０１を閉路状態にする。一方、開閉器１１の一次側から電力が供給されていない場合には（低圧系統３が停電している場合）、操作コイル２０２は、励磁されないため接点２０１を開路状態にする。
【００４３】
制御リレー２１０は、接点２１１と、操作コイル２１２とを含む。制御リレー２１０は、配線６２に接続された配線６６に接続されている。接点２１１は、配線６６上に設けられており、制御リレー２２０とコントローラ２０とを接続または遮断する。より具体的には、制御リレー２２０を介して電力供給されている場合には（すなわち、制御リレー２２０の接点２２１が閉路状態であって、かつ開閉器１１の二次側（分散型電源または蓄電池）から配線６６に電力が供給されている場合）、操作コイル２１２は、当該電力により励磁され接点２１１を閉路状態にする。一方、制御リレー２２０を介して電力供給されていない場合には、操作コイル２１２は、励磁されないため、接点２１１を開路状態にする。
【００４４】
制御リレー２２０は、接点２２１と、操作コイル２２２とを含む。制御リレー２２０は、配線６２に接続された配線６６、および配線６３に接続された配線６７にそれぞれ接続されている。接点２２１は、配線６６上に設けられており、開閉器１１の２次側の配線６２と制御リレー２１０とを接続または遮断する。また、接点２２１は、ブレーク接点である。そのため、開閉器１１の一次側から配線６１に電力が供給されている場合には、操作コイル２２２は、配線６１、配線６３および配線６７を介して、当該電力により励磁され、接点２２１を開路状態にする。一方、開閉器１１の一次側から配線６１に電力が供給されていない場合には、操作コイル２２２は、励磁されないため、接点２２１を閉路状態にする。
【００４５】
コントローラ２０は、配線６３、および制御リレー２００を介して開閉器１１の一次側の配線６１に接続されている。また、コントローラ２０は、配線６６、制御リレー２１０、および制御リレー２２０を介して開閉器１１の二次側の配線６２に接続されている。コントローラ２０は、ＯＮ信号配線６４およびＯＦＦ信号配線６５に接続される。
【００４６】
（ｂ３．コントローラ１０および２０の回路構成）
図４は、実施の形態１に従うコントローラ１０および２０の回路構成を示す図である。つまり、コントローラ１０および２０の回路構成が同じである。なお、当該回路構成図は、複線図で示されている。以下では、図２および図４を参照して、コントローラ１０と上述した各配線との接続関係の詳細を説明し、図３および図４を参照して、コントローラ１０と上述した各配線との接続関係の詳細を説明する。
【００４７】
まず、図４を参照して、コントローラ１０および２０の回路構成を説明する。コントローラ１０および２０は、ダイオード７１と、抵抗７２と、コンデンサ７３と、バリスタ７４と、接続端子８１Ａ，８１Ｂ（以下、「接続端子８１」とも総称する。）と、接続端子８２Ａ，８２Ｂ（以下、「接続端子８２」とも総称する。）と、接続端子８３と、瞬時動作限時復帰ブレーク接点８６とを含む。以下では、接続端子８１Ａ，８２Ａは、正側の接続端子であり、接続端子８１Ｂ，８２Ｂは、負側の接続端子であるとする。なお、接続端子の正負は、逆の場合であってもよい。
【００４８】
瞬時動作限時復帰ブレーク接点８６は、リレーあるいは電磁開閉器で構成された接点であり、一定以上の電流が流れると瞬時に開路し、当該電流が流れなくなってから一定時間が経過すると閉路する接点である。一定時間を経過してから閉路するメカニズムとしては、例えば、可動部が流路抵抗をうけ、その流路抵抗を調整することで閉路する時間を調整するものが考えられる。なお、この一定時間は、例えば、０．１秒〜１００秒であり、瞬時電圧低下や短時間停電によって瞬時動作限時復帰ブレーク接点８６が閉路しないように設定される。
【００４９】
次に、図２および図４を参照して、コントローラ１０と、配線５３、ＯＮ信号配線５４およびＯＦＦ信号配線５５との接続関係について説明する。コントローラ１０において、接続端子８１Ａ（正側）は、配線５３の正側の配線に接続されており、接続端子８１Ｂ（負側）は、配線５３の負側の配線に接続されている。また、接続端子８２Ａ（正側）は、ＯＮ信号配線５４の正側の配線に接続されており、接続端子８２Ｂ（負側）は、ＯＮ信号配線５４の負側の配線、およびＯＦＦ信号配線５５の負側の配線にそれぞれ接続されている。接続端子８３は、ＯＦＦ信号配線５５の正側の配線に接続されている。
【００５０】
次に、図３および図４を参照して、コントローラ２０と、配線６３、ＯＮ信号配線６４、ＯＦＦ信号配線６５、および配線６６との接続関係について説明する。コントローラ２０において、接続端子８１は、配線６３および配線６６に接続される。より具体的には、接続端子８１Ａ（正側）は、配線６３および配線６６の正側の配線に接続されており、接続端子８１Ｂ（負側）は、配線６３および配線６６の負側の配線に接続されている。また、接続端子８２Ａ（正側）は、ＯＮ信号配線６４の正側の配線に接続されており、接続端子８２Ｂ（負側）は、ＯＮ信号配線６４の負側の配線、およびＯＦＦ信号配線６５の負側の配線に接続されている。接続端子８３は、ＯＦＦ信号配線６５の正側の配線に接続されている。
【００５１】
＜Ｃ．開閉動作＞
（ｃ１．系統開閉器４の開閉動作）
図２および図４を参照して、系統開閉器４の開閉動作について説明する。ここでは、通信用リレー５は、監視サーバ６から指示を受けて、主接点４５が閉路状態であるものとする。
【００５２】
通信用リレー５の主接点４５が閉路状態であることから、高圧系統１が柱上変圧器２を介して配線５１に電力を供給している場合には、コントローラ１０は、配線５１および配線５３を介して、当該電力の供給を受ける。そして、接続端子８１、接続端子８２、およびＯＮ信号配線５４を介して、当該電力により投入コイル４０が励磁されるため、主接点４２は閉路状態となる。また、接続端子８１、ダイオード７１、抵抗７２を介して、当該電力がコンデンサ７３に充電される（電荷が蓄積される）。このとき、瞬時動作限時復帰ブレーク接点８６の開閉動作を行なう操作コイル（図示せず）は、接続端子８１Ａ−接続端子８１Ｂ間から一定以上の電流を受けていることから、瞬時動作限時復帰ブレーク接点８６が開路状態になっているため、コンデンサ７３の電荷は充電される（放電されない）。なお、バリスタ７４は、必要以上の電圧がコンデンサ７３に印加されないように電圧を調整する。
【００５３】
停電などにより高圧系統１が柱上変圧器２を介して配線５１に電力を供給していない場合には、コントローラ１０は、系統開閉器４の一次側から電力供給を受けない。そのため、瞬時動作限時復帰ブレーク接点８６の開閉動作を行なう操作コイルは、一定以上の電流を受けていないため、当該電流を受けなくなってから一定時間Ｔ１が経過すると瞬時動作限時復帰ブレーク接点８６は閉路状態となる。そして、瞬時動作限時復帰ブレーク接点８６が閉路状態になると、コンデンサ７３に充電された電力が接続端子８３、およびＯＦＦ信号配線５５を介して放電される（ＯＦＦ信号が伝送される）ため、引き外しコイル４１が励磁され主接点４２は開路状態となる。なお、引き外しコイル４１は、コンデンサ７３から放電された電流により十分励磁され主接点４２を開路状態にできるように構成されている。
【００５４】
（ｃ２．開閉器１１の開閉動作）
図３、図４および図５を参照して、開閉器１１の開閉動作について説明する。図５は、実施の形態１に従う開閉器１１、および制御リレー２００，２１０，２２０の開閉動作を説明するための図である。
【００５５】
図３、図４および図５を参照すると、開閉器１１の一次側から配線６３（および配線６１）に電力が供給されている場合（供給あり）であって、かつ分散型電源などにより開閉器１１の二次側から配線６６（および配線６２）に電力が供給されていない場合（供給なし）には、操作コイル２０２が励磁され接点２０１は閉路状態（ＯＮ状態）となり、操作コイル２２２が励磁され接点２２１は開路状態（ＯＦＦ状態）となる。このとき、接点２２１がＯＦＦ状態であるため、接点２１１もＯＦＦ状態となる。そのため、コントローラ２０は、配線６１および配線６３を介して電力供給を受ける。そして、接続端子８１、接続端子８２、およびＯＮ信号配線６４を介して、当該電力により投入コイル４６が励磁されるため、主接点４８はＯＮ状態となる。また、接続端子８１、ダイオード７１、抵抗７２を介して、電荷がコンデンサ７３に蓄積されていく。このとき、瞬時動作限時復帰ブレーク接点８６は、ＯＦＦ状態となっているため、コンデンサ７３の電荷は充電される。なお、バリスタ７４は、必要以上の電圧がコンデンサ７３に印加されないように電圧を調整する。
【００５６】
また、開閉器１１の一次側から配線６３に電力が供給されていない場合であって、かつ開閉器１１の二次側から配線６６に電力が供給されている場合には、操作コイル２０２が励磁されず、接点２０１はＯＦＦ状態となり、操作コイル２２２が励磁されず、接点２２１はＯＮ状態となる。また、接点２２１がＯＮ状態であるため、配線６６を介した開閉器１１の二次側（例えば、分散型電源）からの電力により操作コイル２１２が励磁され、接点２１１はＯＮ状態となる。そのため、コントローラ２０は、配線６２および配線６６を介して電力の供給を受ける。そして、接続端子８１、接続端子８２、およびＯＮ信号配線６４を介して、当該電力により投入コイル４６が励磁されるため、主接点４８は閉路状態になり、電荷がコンデンサ７３に充電される。
【００５７】
また、開閉器１１の一次側から配線６３に電力が供給されている場合であって、かつ開閉器１１の二次側から配線６６に電力が供給されている場合には、操作コイル２０２が励磁され、接点２０１はＯＮ状態となり、操作コイル２２２が励磁され、接点２２１はＯＦＦ状態となる。また、接点２２１がＯＦＦ状態であるため、接点２１１もＯＦＦ状態となる。そのため、コントローラ２０は、配線６１および配線６３を介して電力の供給を受ける。また、接続端子８１、接続端子８２、およびＯＮ信号配線６４を介して、当該電力により投入コイル４６が励磁されるため、主接点４８は閉路状態になり、電荷がコンデンサ７３に充電される。この場合、コントローラ２０は、分散型電源または蓄電池による開閉器１１の二次側からの電力供給を受けない。
【００５８】
また、開閉器１１の一次側から配線６３に電力が供給されていない場合であって、かつ開閉器１１の二次側から配線６６に電力が供給されていない場合には、操作コイル２０２が励磁されず、接点２０１はＯＦＦ状態となり、操作コイル２２２が励磁されず、接点２２１はＯＮ状態となる。また、接点２２１がＯＮ状態であるものの開閉器１１の二次側から電力が供給されていないため、操作コイル２１２が励磁されず、接点２１１はＯＦＦ状態となる。すなわち、コントローラ２０は、開閉器１１の一次側および二次側のいずれからも電力の供給を受けない。そのため、瞬時動作限時復帰ブレーク接点８６は、電力の供給を受けなくなってから一定時間Ｔ２が経過すると閉路状態となる。そして、瞬時動作限時復帰ブレーク接点８６が閉路状態になると、コンデンサ７３に充電された電力が接続端子８３、およびＯＦＦ信号配線６５を介して放電されるため、引き外しコイル４７が励磁され主接点４８は開路状態となる。
【００５９】
なお、上述したように、停電が発生した場合など、コントローラ１０または２０に電力が供給されなくなると、系統開閉器４および開閉器１１は開路状態となる。この場合、一般に下流側の開閉器から開路状態にすることが好ましい。そのため、上流側に設けられた系統開閉器４における、停電が発生してから開路状態になるまでの時間は、下流側に設けられた開閉器１１における当該時間よりも長くなるように設定される。より具体的には、系統開閉器４における、瞬時動作限時復帰ブレーク接点８６が電力供給を受けなくなってから閉路状態になるまでの時間Ｔ１が、開閉器１１における当該時間Ｔ２よりも長くなるように設定される。
【００６０】
＜Ｄ．システムの動作＞
ここでは、実施の形態１に従う開閉装置５００を含む電力制御システム１０００の動作について説明する。
【００６１】
（ｄ１．通常時の動作）
まず、電力制御システム１０００における通常時の動作について説明する。通常時とは、高圧系統１および低圧系統３が停電しておらず、低圧系統３から需要家１００に電力が供給されている場合である。
【００６２】
通常時の電力制御システム１０００において、系統開閉器４は閉路状態であるため、柱上変圧器２および系統開閉器４を経由して、高圧系統１から低圧系統３に電力が供給される。さらに、開閉器１１は閉路状態であるため、低圧系統３から複数の需要家１００に電力が供給される。需要家１００が有する負荷１３は、供給された電力によって動作する。蓄電池１５、または電気自動車１６に含まれる蓄電池の充電量が十分でない場合には、これらの蓄電池が充電される。また、太陽光発電装置１４で発電された電力は、パワーコンディショナ１７Ａおよび１７Ｃで直流から交流に変換される。パワーコンディショナ１７Ａおよび１７Ｃは、低圧系統３と同期して連系運転する。
【００６３】
（ｄ２．停電時の動作）
次に、実施の形態１に従う開閉装置５００を含む電力制御システム１０００における停電時の動作について説明する。図６は、実施の形態１に従う開閉装置５００を含む電力制御システム１０００における停電時の動作を示すフローチャートである。
【００６４】
図６を参照して、高圧系統１が停電すると、低圧系統３に電力が供給されなくなるため、全ての需要家１００に電力が供給されなくなり、全ての負荷１３の動作が停止する。また、パワーコンディショナ１７Ａおよび１７Ｃは、連系運転を停止する。全ての開閉器１１は、停電が発生してから時間Ｔ１が経過すると自律的に開路動作を行なう（ステップＳ１０４）。より具体的には、開閉器１１におけるコンデンサ７３に充電された電荷よって引き外しコイル４７が励磁され、主接点４８は開路状態となる。このとき、全ての需要家１００は、低圧系統３から切り離される。
【００６５】
次に、系統開閉器４は、停電が発生してから時間Ｔ２が経過すると自律的に開路動作を行なう（ステップＳ１０６）。より具体的には、系統開閉器４におけるコンデンサ７３に充電された電荷より引き外しコイル４１が励磁され、主接点４２は開路状態となる。このとき、低圧系統３は、高圧系統１から切り離される。
【００６６】
次に、監視サーバ６は、需要家１００Ａのマスター型のパワーコンディショナ１７Ａを、連系運転モードから自立運転モードに切り替える（ステップＳ１０８）。より具体的には、監視サーバ６は、スマートメータ１２Ａを介してパワーコンディショナ１７Ａに指令して当該切り替えを実行する。なお、需要家１００のユーザは、監視サーバ６からの当該指令を受けて、手動でモードの切り替えを行なう場合であってもよい。
【００６７】
次に、自立運転モードに切り替わったパワーコンディショナ１７Ａは、太陽光発電装置１４Ａで発電した電力を負荷１３Ａに供給する（ステップＳ１１０）。負荷１３Ａに供給する電力が不足する場合などには、パワーコンディショナ１７Ａは、蓄電池からの電力を負荷１３Ａに供給してもよい。
【００６８】
次に、開閉器１１Ａは、太陽光発電装置１４Ａ（または蓄電池）から電力の供給を受けるため、自律的に閉路動作を行なう（ステップＳ１１２）。より具体的には、需要家１００Ａにおいて、配線６６、接続端子８１、接続端子８２、およびＯＮ信号配線６４を介して、当該電力により投入コイル４６が励磁され、主接点４８が閉路状態となる。このとき、低圧系統３を介して需要家１００Ｂ、１００Ｃにも当該電力を供給することが可能となる。
【００６９】
次に、開閉器１１Ｂおよび１１Ｃは、低圧系統３から電力の供給を受けるため、自律的に閉路動作を行なう（ステップＳ１１４）。そして、需要家１００Ｂの負荷１３Ｂは、低圧系統３から電力の供給を受け、需要家１００Ｃが有するスレーブ型のパワーコンディショナ１７Ｃは、需要家１００Ａが有するマスター型のパワーコンディショナ１７Ａと同期して負荷１３Ｃなどに電力を供給する（ステップＳ１１６）。このとき、停電して動作停止していた負荷１３が再び動作可能となる。したがって、太陽光発電装置１４および蓄電池を有さない需要家１００Ｂでも、太陽光発電装置１４が発電した電力（または蓄電池からの電力）を利用することができる。
【００７０】
なお、上記において、太陽光発電装置１４、および蓄電池により供給可能な電力が、需要家１００の負荷１３が必要とする電力を下回る場合には、監視サーバ６は、重要な需要家１００のスマートメータ１２に指示して、開閉器１１とパワーコンディショナ１７との間を接続させ、他の需要家１００のスマートメータ１２に指示して、開閉器１１とパワーコンディショナ１７との間を遮断させてもよい。
【００７１】
また、パワーコンディショナ１７Ａおよび１７Ｃに通信機能がある場合には、パワーコンディショナ１７Ａおよび１７Ｃは、監視サーバ６から各種指令を直接（スマートメータ１２を介さずに）受信してもよい。
【００７２】
（ｄ３．停電時から復電時までの動作）
次に、実施の形態１に従う電力制御システム１０００における停電時から復電時までの動作について説明する。図７は、実施の形態１に従う開閉装置５００を含む電力制御システム１０００おける停電時から復電時までの動作を示すフローチャートである。ここでは、上述したように、高圧系統１が停電し、低圧系統３が高圧系統１から切り離され、パワーコンディショナ１７Ａ，１７Ｃが自立運転しているものとする。
【００７３】
図７を参照して、監視サーバ６は、通信用リレー５に対して開路指令を行なう（ステップＳ２０２）。より具体的には、監視サーバ６は、通信回線７、通信子局８、およびＯＦＦ信号配線５７を介して、通信用リレー５にＯＦＦ信号を伝送する。このとき、通信用リレー５の主接点４５は、開路状態となる。通信用リレー５の主接点４５を開路状態にしておく理由は、高圧系統１が復電した際に、自律的に高圧系統１から低圧系統３に電力が供給されるのを防ぐためである。これにより、安全確認の後、各需要家１００に電力を供給することができる。
【００７４】
次に、監視サーバ６は、高圧系統１が復電したか否かを判断する（ステップＳ２０４）。より具体的には、監視サーバ６は、高圧系統１に設置された電流センサ（または電圧センサ）からの信号に基づいて、高圧系統１が復電したか否かを判断する。
【００７５】
高圧系統１が復電していない場合には（ステップＳ２０４においてＮＯの場合）、監視サーバ６は、ステップＳ２０４の処理を繰り返す。これに対して、高圧系統１が復電した場合には（ステップＳ２０４においてＹＥＳの場合）、パワーコンディショナ１７Ａおよび１７Ｃは、監視サーバ６からの指示を受けて、自立運転モードを停止する（ステップＳ２０６）。
【００７６】
次に、開閉器１１は、自律的に開路動作を行なう（ステップＳ２０８）。より具体的には、パワーコンディショナ１７Ａが自立運転を停止することから、需要家１００Ａでは、太陽光発電装置１４Ａ、蓄電池１５、または電気自動車１６の蓄電池からの電力が開閉器１１Ａに供給されなくなるため、開閉器１１Ａは開路動作を行なう。同様に、パワーコンディショナ１７Ｃが自立運転を停止することから、需要家１００Ｃでは、太陽光発電装置１４Ｃからの電力が開閉器１１Ｃに供給されなくなるため、開閉器１１Ｃは開路動作を行なう。その結果、低圧系統３に分散型電源または蓄電池からの電力が供給されなくなるため、需要家１００Ｂの開閉器１１Ｂも開路動作を行なう。
【００７７】
次に、監視サーバ６は、通信用リレー５に対して閉路指令を行なう（ステップＳ２１０）。より具体的には、監視サーバ６は、通信回線７、通信子局８、およびＯＮ信号配線５６を介して、通信用リレー５にＯＮ信号を伝送する。このとき、通信用リレー５の主接点４５は、閉路状態となるため、コントローラ１０は、復電した高圧系統１から柱上変圧器２を介して電力の供給を受けることができる。そして、配線５３、接続端子８１、接続端子８２、およびＯＮ信号配線５４を介して、当該電力により系統開閉器４の投入コイル４０が励磁されるため、主接点４２は閉路状態となる。その結果、電力が高圧系統１から低圧系統３に供給される。
【００７８】
次に、全ての開閉器１１は、自律的に閉路動作を行なう（ステップＳ２１２）。より具体的には、低圧系統３からの電力により全ての開閉器１１の投入コイル４６が励磁されるため、主接点４８は閉路状態となる。
【００７９】
全ての需要家１００の負荷１３は、電力の供給を受けて再び動作可能となり（ステップＳ２１４）、パワーコンディショナ１７Ａおよび１７Ｃは、低圧系統３と同期して連係運転する（ステップＳ２１６）。
【００８０】
＜Ｅ．実施の形態の効果＞
実施の形態１によると、停電時において、高圧系統と低圧系統との接続、低圧系統と需要家との接続、および自立運転時の需要家間の接続を電力供給の有無（開閉器の一次側および二次側の電圧）に応じて自律的に制御することができる。
【００８１】
また、実施の形態１によると、復電時には、高圧系統と低圧系統との接続に関しては、安全を確保するために監視サーバからの指令を必要とするが、需要家と低圧系統との接続は自律的に制御することができる。なお、高圧系統が復電した後に、自律的に低圧系統に電力が供給されることを防止できるため、安全確認の後、各需要家１００に電力を供給することができる。
【００８２】
また、実施の形態１によると、自立運転時、分散型電源を有する需要家の電力を分散型電源を有さない需要家に供給することができる。
【００８３】
また、実施の形態１によると、瞬時電圧低下、短時間停電において開閉器が自律的に開路動作するといった不要動作を防止することができる。
【００８４】
［実施の形態２］
＜Ａ．システムの全体構成＞
図８を参照して、実施の形態２に従う開閉装置を含む電力制御システムの全体構成について説明する。図８は、実施の形態２に従う開閉装置６００を含む電力制御システム１１００の全体構成を示す図である。すなわち、実施の形態２に従う電力制御システム１１００の全体構成は、実施の形態１に従う電力制御システム１０００の全体構成における開閉装置５００を開閉装置６００に置き換えたものに相当する。
【００８５】
そして、実施の形態２に従う開閉装置６００は、実施の形態１に従う開閉装置５００に含まれる系統開閉器４、開閉器１１（１１Ａ，１１Ｂ，１１Ｃ）、通信用リレー５を、それぞれ系統開閉器４００、開閉器４１０（４１０Ａ，４１０Ｂ，４１０Ｃ）、通信用リレー４２０に置き換えたものに相当する。
【００８６】
したがって、以下では、開閉装置６００に含まれる系統開閉器４００、開閉器４１０、およびこれらの周辺回路について説明するが、実施の形態１に従う電力制御システム１０００と同じ部分についてはその詳細な説明は繰り返さない。
【００８７】
＜Ｂ．回路構成＞
（ｂ１．系統開閉器４００とその周辺の回路構成）
図９は、本実施の形態２に従う系統開閉器４００とその周辺の回路構成を示す図である。なお、当該回路構成図は、単線図で示されている。
【００８８】
図９を参照して、系統開閉器４００は、投入コイル４０と、引き外しコイル４１と、主接点４２と、補助ブレーク接点３０３とを含む。すなわち、系統開閉器４００は、実施の形態１に従う系統開閉器４に補助ブレーク接点３０３を追加したものであり、その他の部分は同じである。
【００８９】
補助ブレーク接点３０３は、配線５８上に設けられており、制御リレー３００と系統開閉器４００の二次側（配線５２）とを接続または遮断する。補助ブレーク接点３０３は、主接点４２が開路状態のときに閉路状態となり、主接点４２が開路状態のときに閉路状態となる。つまり、補助ブレーク接点３０３は、主接点４２（メーク接点）と逆の開閉状態となる接点である。なお、系統開閉器４００の開閉状態とは、主接点４２の開閉状態を意味するものとする。
【００９０】
通信用リレー４２０は、投入コイル４３と、引き外しコイル４４と、主接点４５と、補助ブレーク接点３３０とを含む。すなわち、通信用リレー４２０は、実施の形態２に従う通信用リレー５に補助ブレーク接点３３０を追加したものであり、その他の部分は同じである。
【００９１】
補助ブレーク接点３３０は、端子３３１および端子３３２に接続されており、後述する図１０に示す配線６３と配線６６とを接続または遮断するための接点である。補助ブレーク接点３３０は、主接点４５が開路状態のときに閉路状態となり、主接点４５が開路状態のときに閉路状態となる。つまり、補助ブレーク接点３３０は、主接点４５と逆の開閉状態となる接点である。なお、通信用リレー４２０の開閉状態とは、主接点４５の開閉状態を意味するものとする。
【００９２】
制御リレー３００は、ブレーク接点３０１と操作コイル３０２とを含む。制御リレー３００は、系統開閉器４００の一次側（または通信用リレー４２０）とコントローラ１０との間に設けられ、配線５３上にあるブレーク接点３０１により、通信用リレー４２０とコントローラ１０とを接続または遮断する。より具体的には、操作コイル３０２は、配線５２、補助ブレーク接点３０３、配線５８を介して系統開閉器４００の二次側から供給された電力により励磁された場合にはブレーク接点３０１を開路状態にし、当該電力が供給されず励磁されない場合にはブレーク接点３０１を閉路状態にする。そのため、制御リレー３００は、系統開閉器４００の二次側から電力を受けていない場合には、系統開閉器４００の一次側（配線５３）とコントローラ１０とを接続し、当該電力を受けている場合には系統開閉器４００の一次側とコントローラ１０とを遮断する。
【００９３】
（ｂ２．開閉器４１０とその周辺の回路構成）
図１０は、実施の形態２に従う開閉器４１０とその周辺の回路構成を示す図である。なお、当該回路構成図は、単線図で示されている。
【００９４】
図１０を参照して、開閉器４１０は、投入コイル４６と、引き外しコイル４７と、主接点４８と、補助ブレーク接点３２２とを含む。すなわち、開閉器４１０は、実施の形態１に従う開閉器１１に補助ブレーク接点３２２を追加したものであり、その他の部分は同じである。
【００９５】
補助ブレーク接点３２２は、配線３２５上に設けられており、制御リレー３１０と開閉器４１０の二次側（配線６２，６６）とを接続または遮断する。補助ブレーク接点３２２は、主接点４８が開路状態のときに閉路状態となり、主接点４８が開路状態のときに閉路状態となる。つまり、補助ブレーク接点３２２は、主接点４８（メーク接点）と逆の開閉状態となる接点である。なお、開閉器４１０の開閉状態とは、主接点４８の開閉状態を意味するものとする。
【００９６】
制御リレー３１０は、ブレーク接点３１４と、操作コイル３１８とを含む。制御リレー３１０は、開閉器４１０の一次側（配線６１）と第２のコントローラ２０（または制御リレー３１１）との間に設けられ、配線６３上にあるブレーク接点３１４により、開閉器４１０の一次側と制御リレー３１１とを接続または遮断する。より具体的には、操作コイル３１８は、配線６２、補助ブレーク接点３２２、配線３２５を介して開閉器４１０の二次側から電力が供給されて励磁された場合にはブレーク接点３１４を開路状態にし、当該電力が供給されず励磁されない場合にはブレーク接点３１４を閉路状態にする。そのため、制御リレー３１０は、開閉器４１０の二次側から電力を受けていない場合には、開閉器４１０の一次側と制御リレー３１１とを接続し、当該電力を受けている場合には開閉器４１０の一次側と制御リレー３１１とを遮断する。
【００９７】
制御リレー３１１は、メーク接点３１５と、操作コイル３１９とを含む。制御リレー３１１は、制御リレー３１０（または開閉器４１０の一次側）とコントローラ２０との間に設けられ、配線６３上にあるメーク接点３１５により、制御リレー３１０とコントローラ２０とを接続または遮断する。より具体的には、操作コイル３１９は、制御リレー３１０を介して開閉器４１０の一次側から供給された電力により励磁された場合にはメーク接点を３１５を閉路状態にし、当該電力が供給されず励磁されない場合にはメーク接点３１５を開路状態にする。そのため、制御リレー３１１は、制御リレー３１０を介して開閉器４１０の一次側から電力を受けている場合には制御リレー３１０（または開閉器４１０の一次側）とコントローラ２０とを接続し、当該電力を受けていない場合には制御リレー３１０とコントローラ２０とを遮断する。
【００９８】
制御リレー３１２は、ブレーク接点３１６と、操作コイル３２０とを含む。制御リレー３１２は、開閉器４１０の二次側（配線６２，６６）とコントローラ２０（または制御リレー３１３）との間に設けられ、配線６６上にあるブレーク接点３１６により、開閉器４１０の二次側と制御リレー３１３とを接続または遮断する。より具体的には、操作コイル３２０は、配線６３を介して開閉器４１０の一次側から供給された電力により励磁された場合にはブレーク接点３１６を開路状態にし、当該電力が供給されず励磁されない場合にはブレーク接点３１６を閉路状態にする。そのため、制御リレー３１２は、開閉器４１０の一次側から電力を受けている場合には開閉器４１０の二次側と制御リレー３１３とを接続し、当該電力を受けていない場合には開閉器４１０の二次側と制御リレー３１３とを遮断する。
【００９９】
制御リレー３１３は、限時動作瞬時復帰メーク接点３１７と、操作コイル３２１とを含む。制御リレー３１３は、制御リレー３１２とコントローラ２０との間に設けられ、配線６６上にある限時動作瞬時復帰メーク接点３１７により、制御リレー３１２とコントローラ２０とを接続または遮断する。より具体的には、操作コイル３２１は、制御リレー３１２を介して開閉器４１０の二次側から供給された電力により励磁された場合には限時動作瞬時復帰メーク接点３１７を閉路状態にし、当該電力が供給されず励磁されない場合には限時動作瞬時復帰メーク接点３１７を開路状態にする。そのため、制御リレー３１３は、制御リレー３１２を介して開閉器４１０の二次側から電力を受けている場合には制御リレー３１２（または開閉器４１０の二次側）とコントローラ２０とを接続し、当該電力を受けていない場合には制御リレー３１２とコントローラ２０とを遮断する。なお、限時動作瞬時復帰メーク接点３１７は、リレーあるいは電磁開閉器で構成された接点であり、一定以上の電流が流れると一定時間遅れて閉路し、当該電流が流れなくなると瞬時に開路する接点である。
【０１００】
また、補助ブレーク接点３３０が、開閉器４１０の二次側（配線６６）と、コントローラ２０との間に設けられる。具体的には、配線６６は、通信用リレー４２０の端子３３１、補助ブレーク接点３３０、端子３３２を介して配線６３と接続可能に構成されている。すなわち、補助ブレーク接点３３０が閉路状態の場合には配線６３と配線６６とが接続され、補助ブレーク接点３３０が閉路状態の場合には配線６３と配線６６とが遮断される。
【０１０１】
＜Ｃ．開閉動作＞
（ｃ１．系統開閉器４００の開閉動作）
図９、図１１および図４を参照して、系統開閉器４００の開閉動作について説明する。図１１は、実施の形態２に従う系統開閉器４００、および制御リレー３００の開閉動作を説明するための図である。ここでは、通信用リレー４２０が監視サーバ６から閉路指示を受けて、主接点４５は閉路状態（ＯＮ状態）であるものとする。なお、通信用リレー４２０が監視サーバ６から開路指示を受けて、主接点４５が開路状態のときには主接点４２は常に開路状態（ＯＦＦ状態）となる。
【０１０２】
まず、系統開閉器４００の主接点４２の現在の状態（初期状態）がＯＦＦ状態の場合（図１１：Ｎｏ．１〜Ｎｏ．４）の開閉動作を説明する。この場合、補助ブレーク接点３０３の初期状態はＯＮ状態である。
【０１０３】
配線５１に電力が供給されていない状態から、高圧系統１から柱上変圧器２を介して配線５１に電力が供給された場合であって、かつ分散型電源などにより系統開閉器４００の二次側から配線５２に電力が供給されていない場合には（図１１：Ｎｏ．１）、制御リレー３００の操作コイル３０２は励磁されずブレーク接点３０１はＯＮ状態となる。そのため、コントローラ１０は、配線５１および配線５３を介して電力供給を受ける。そして、接続端子８１、接続端子８２、およびＯＮ信号配線５４を介して、当該電力により投入コイル４０が励磁され、主接点４２はＯＮ状態となる。また、接続端子８１、ダイオード７１、抵抗７２を介して、電荷がコンデンサ７３に蓄積される。このとき、瞬時動作限時復帰ブレーク接点８６はＯＦＦ状態となっているため、コンデンサ７３の電荷は充電される。なお、バリスタ７４は、必要以上の電圧がコンデンサ７３に印加されないように電圧を調整する。
【０１０４】
また、配線５１に電力が供給されていない場合であって、かつ（配線５２に電力が供給されていない状態から）配線５２に電力が供給された場合には（図１１：Ｎｏ．２）、操作コイル３０２は励磁されブレーク接点３０１はＯＦＦ状態となる。この場合、コントローラ１０が電力の供給を受けないため、主接点４２はＯＦＦ状態を維持する。
【０１０５】
また、配線５１に電力が供給されている場合であって、かつ配線５２に電力が供給されている場合には（図１１：Ｎｏ．３）、操作コイル３０２は励磁されブレーク接点３０１はＯＦＦ状態となる。この場合も、コントローラ１０が電力の供給を受けないため、主接点４２はＯＦＦ状態を維持する。
【０１０６】
また、配線５１に電力が供給されていない場合であって、かつ配線５２に電力が供給されていない場合には（図１１：Ｎｏ．４）、操作コイル３０２は励磁されブレーク接点３０１はＯＮ状態となるが、そもそも配線５１に電力が供給されていないことから、コントローラ１０が電力の供給を受けず、主接点４２はＯＦＦ状態を維持する。
【０１０７】
次に、系統開閉器４００の主接点４２の現在の状態（初期状態）がＯＮ状態の場合（図１１：Ｎｏ．５、６）の開閉動作を説明する。このとき、補助ブレーク接点３０３の初期状態はＯＦＦ状態である。この場合、系統電源と分散型電源とが同期して動作しているため、分散型電源の充電、停電状態は、低圧系統３の充電、停電状態と一致する。したがって、系統開閉器４００の主接点４２がＯＮ状態のときには、系統開閉器４００の一次側、二次側がともに充電状態（電力が供給される状態）、または系統開閉器４００の一次側、二次側がともに停電状態（電力が供給されない状態）の２種類の場合が考えられる。
【０１０８】
まず、配線５１に電力が供給されている場合であって、かつ配線５２に電力が供給されている場合には（図１１：Ｎｏ．５）、補助ブレーク接点３０３がＯＦＦ状態であるから操作コイル３０２は励磁されず、ブレーク接点３０１はＯＮ状態となる。この場合、コントローラ１０が電力の供給を受けるため、主接点４２はＯＮ状態を維持する。
【０１０９】
また、配線５１に電力が供給されている状態から、停電などにより配線５１に電力が供給されなくなった場合であって、かつ配線５２に電力が供給されなくなった場合には（図１１：Ｎｏ．６）、操作コイル３０２は励磁されずブレーク接点３０１はＯＮ状態となるが、そもそも配線５１に電力が供給されていないため、コントローラ１０が電力の供給を受けない。したがって、瞬時動作限時復帰ブレーク接点８６の開閉動作を行なう操作コイルは、一定以上の電流を受けていないため、当該電流を受けなくなってから一定時間Ｔ１が経過すると瞬時動作限時復帰ブレーク接点８６は閉路状態となる。そして、瞬時動作限時復帰ブレーク接点８６が閉路状態になると、コンデンサ７３に充電された電力が接続端子８３、およびＯＦＦ信号配線５５を介して放電される（ＯＦＦ信号が伝送される）ため、引き外しコイル４１が励磁され主接点４２はＯＦＦ状態となる。なお、引き外しコイル４１は、コンデンサ７３から放電された電流により十分励磁され主接点４２を開路状態にできるように構成されている。
【０１１０】
以上より、系統開閉器４００の初期状態がＯＦＦ状態（主接点４２がＯＦＦ状態）の場合には、コントローラ１０は、系統開閉器４００の一次側（配線５１）に電力が供給され、かつ二次側（配線５２）に電力が供給されていないときに系統開閉器４００を閉路動作させ、系統開閉器４００の二次側に電力が供給されているときに系統開閉器４００のＯＦＦ状態を維持する。また、系統開閉器４００の初期状態がＯＮ状態（主接点４２がＯＮ状態）の場合には、コントローラ１０は、系統開閉器４００の一次側に電力が供給されているときに系統開閉器４００の閉路状態を維持する。そして、系統開閉器４００の初期状態に関わらず（ＯＮ状態であってもＯＦＦ状態であっても）、コントローラ１０は、系統開閉器４００の一次側に電力が供給されていない場合には系統開閉器４００を開路動作させる。
【０１１１】
上記開閉動作によると、系統開閉器４００の初期状態がＯＦＦ状態であり、柱上変圧器２を介して供給される一次側の電力と、分散型電源から供給される二次側の電力との同期がとれていないときには、二次側に電力が供給されていれば系統開閉器４００はＯＮ状態にはならない。したがって、柱上変圧器２を介して供給される一次側の電力および分散型電源から供給される二次側の電力の位相が合っておらず同期がとれていない場合に、これらの電力が重なることにより電流、電圧がひずみ、負荷が正常に動作しないという事態を回避することができる。
【０１１２】
（ｃ２．開閉器４１０の開閉動作）
図１０、図１２および図４を参照して、開閉器４１０の開閉動作について説明する。図１２は、実施の形態２に従う開閉器４１０、および制御リレー３１０，３１１，３１２，３１３の開閉動作を説明するための図である。
【０１１３】
まず、開閉器４１０の主接点４８の現在の状態（初期状態）がＯＦＦ状態の場合（図１２：Ｎｏ．１〜Ｎｏ．４）の開閉動作を説明する。この場合、補助ブレーク接点３２２の初期状態はＯＮ状態となる。
【０１１４】
開閉器１１の一次側（配線６１）に電力が供給されていない状態から、配線６１に電力が供給された場合であって、かつ分散型電源などにより開閉器１１の二次側から配線６２に電力が供給されていない場合には（図１２：Ｎｏ．１）、操作コイル３１８が励磁されずブレーク接点３１４はＯＮ状態となる。このとき、操作コイル３１９は配線６１，６３および制御リレー３１０を介して電力を受けて励磁され、メーク接点３１５はＯＮ状態となる。また、配線６３から電力を受けて操作コイル３２０が励磁されブレーク接点３１６はＯＦＦ状態となるため、操作コイル３２１は励磁されず限時動作瞬時復帰メーク接点３１７はＯＦＦ状態となる。すなわち、コントローラ２０は、配線６３を介して電力供給を受ける。接続端子８１、接続端子８２、およびＯＮ信号配線６４を介して、当該電力により投入コイル４６が励磁されるため、主接点４８はＯＮ状態となる。接続端子８１、ダイオード７１、抵抗７２を介して、電荷がコンデンサ７３に蓄積されていく。このとき、瞬時動作限時復帰ブレーク接点８６は、ＯＦＦ状態となっているため、コンデンサ７３の電荷は充電される。なお、バリスタ７４は、必要以上の電圧がコンデンサ７３に印加されないように電圧を調整する。
【０１１５】
また、配線６１に電力が供給されていない場合であって、かつ（配線６２に電力が供給されていない状態から）配線６２に電力が供給された場合には（図１２：Ｎｏ．２）、配線３２５から電力を受けて操作コイル３１８が励磁され、ブレーク接点３１４はＯＦＦ状態となるため、操作コイル３１９は励磁されずメーク接点３１５はＯＦＦ状態となる。また、操作コイル３２０が励磁されないためブレーク接点３１６はＯＮ状態となるから、配線６２を介して受けた電力により操作コイル３２１が励磁され、限時動作瞬時復帰メーク接点３１７は一定時間経過後にＯＮ状態となる。さらに、通信用リレー４２０の主接点４５がＯＦＦ状態、すなわち補助ブレーク接点３３０がＯＮ状態の場合には、端子３３１、補助ブレーク接点３３０、端子３３２を介して配線６６からコントローラ２０に電力が供給される。この場合、接続端子８１、接続端子８２、およびＯＮ信号配線６４を介して、当該電力により投入コイル４６が励磁されるため、主接点４８は一定時間経過後にＯＮ状態になり、電荷がコンデンサ７３に充電される。
【０１１６】
また、配線６１に電力が供給された場合であって、かつ配線６２に電力が供給された場合には（図１２：Ｎｏ．３）、配線３２５から電力を受けて操作コイル３１８が励磁され、ブレーク接点３１４はＯＦＦ状態となるため、操作コイル３１９は励磁されずメーク接点３１５はＯＦＦ状態となる。また、配線６１を介して受けた電力により操作コイル３２０が励磁されるため、ブレーク接点３１６はＯＦＦ状態となるから、操作コイル３２１が励磁されず限時動作瞬時復帰メーク接点３１７はＯＦＦ状態となる。すなわち、コントローラ２０は、開閉器４１０の一次側および二次側のいずれからも電力の供給を受けない。そのため、瞬時動作限時復帰ブレーク接点８６は、電力の供給を受けなくなってから一定時間Ｔ２が経過すると閉路状態となる。そして、瞬時動作限時復帰ブレーク接点８６が一定時間経過して閉路状態になると、コンデンサ７３に充電された電力が接続端子８３、およびＯＦＦ信号配線６５を介して放電されるため、引き外しコイル４７が励磁され主接点４８はＯＦＦ状態を維持する。ここで、配線６６に電力が供給されている場合（すなわち、二次側から電力が供給されている場合）には、系統開閉器４００が開路動作することから配線６３に電力が供給されることはないが、万が一、配線６３に電力が供給された場合であっても開閉器４１０は開路動作するように構成されている。
【０１１７】
また、配線６１に電力が供給されていない場合であって、かつ配線６２に電力が供給されていない場合には（図１２：Ｎｏ．４）、操作コイル３１８は励磁されずブレーク接点３１４はＯＮ状態となるが、配線６１に電力が供給されていないため操作コイル３１９は励磁されずメーク接点３１５はＯＦＦ状態となる。また、操作コイル３２０は励磁されずブレーク接点３１６はＯＮ状態となるが、配線６２に電力が供給されていないため操作コイル３２１は励磁されず限時動作瞬時復帰メーク接点３１７はＯＦＦ状態となる。そのため、コントローラ２０は電力の供給を受けないため、主接点４８はＯＦＦ状態を維持する。
【０１１８】
次に、開閉器４１０の主接点４８の初期状態がＯＮ状態の場合（図１２：Ｎｏ．５〜７）の開閉動作を説明する。この場合、補助ブレーク接点３２２の初期状態はＯＦＦ状態となる。この場合、系統電源と分散型電源とが同期して動作するため、分散型電源の充電、停電状態は、低圧系統３の充電、停電状態と一致する。したがって、開閉器４１０の主接点４８がＯＮ状態のときには、開閉器４１０の一次側、二次側ともに充電状態（電力が供給される状態）、または開閉器４１０の一次側、二次側ともに停電状態（電力が供給されない状態）の２種類の場合が考えられる。
【０１１９】
まず、配線６１に電力が供給されている場合であって、かつ配線６２に電力が供給された場合（図１２：Ｎｏ．５）、および配線６１に電力が供給された場合であって、かつ配線６２に電力が供給されている場合（図１２：Ｎｏ．６）には、操作コイル３１８は励磁されずブレーク接点３１４はＯＮ状態となり、配線６１からの電力によりメーク接点３１５はＯＮ状態となる。また、配線６１を介して受けた電力により操作コイル３２０が励磁されてブレーク接点３１６はＯＦＦ状態となるため、操作コイル３２１が励磁されず限時動作瞬時復帰メーク接点３１７はＯＦＦ状態となる。コントローラ２０は、配線６３を介して電力供給を受けるため、主接点４８のＯＮ状態が維持される。
【０１２０】
また、配線６１に電力が供給されなくなった場合であって、かつ配線６２に電力が供給されなくなった場合には（図１２：Ｎｏ．７）、操作コイル３１８は励磁されずブレーク接点３１４はＯＮ状態となるが、配線６１に電力が供給されないためメーク接点３１５はＯＦＦ状態となる。また、操作コイル３２０が励磁されないため、ブレーク接点３１６はＯＮ状態となるが、配線６１に電力が供給されないため限時動作瞬時復帰メーク接点３１７はＯＦＦ状態となる。すなわち、コントローラ２０は、開閉器４１０の一次側および二次側のいずれからも電力の供給を受けず、主接点４８はＯＦＦ状態を維持する。
【０１２１】
以上より、開閉器４１０の初期状態がＯＦＦ状態（主接点４８がＯＦＦ状態）の場合には、コントローラ２０は、開閉器４１０の一次側（配線６１）および二次側（配線６２）のいずれか一方に電力が供給されているときに開閉器４１０を閉路動作させ、開閉器４１０の一次側および二次側に電力が供給されているときに開閉器４１０の開路状態を維持する。また、開閉器４１０の初期状態がＯＮ状態（主接点４８がＯＮ状態）の場合には、コントローラ２０は、開閉器４１０の一次側および二次側の少なくとも一方に電力が供給されているときに開閉器４１０の閉路状態を維持する。そして、開閉器４１０の初期状態に関わらず（ＯＮ状態であってもＯＦＦ状態であっても）、コントローラ２０は、開閉器４００の一次側および二次側のいずれからも電力が供給されていない場合には開閉器４１０を開路動作させる。
【０１２２】
上記開閉動作によると、初期状態で開閉器４１０がＯＦＦ状態であり、低圧系統３から供給される一次側の電力と、分散型電源から供給される二次側の電力との同期がとれていないときには、二次側に電力が供給されていれば開閉器４１０は閉路動作しない（ＯＮ状態にならない）。したがって、低圧系統３から供給される一次側の電力および分散型電源から供給される二次側の電力の位相が合っておらず同期がとれていない場合に、これらの電力が重なることにより電流、電圧がひずみ、負荷が正常に動作しないという事態を回避することができる。
【０１２３】
また、配線６６と配線６３とが、通信用リレー４２０の補助ブレーク接点３３０を介して接続可能に構成されていることから、補助ブレーク接点３３０がＯＮ状態（主接点４５がＯＦＦ状態）、すなわち、系統開閉器４００の主接点４２がＯＦＦ状態でなければ、開閉器４１０の二次側から電力は供給されない。したがって、一次側の系統電源の電力と二次側の分散型電源の電力との同期の不一致状態をより確実に回避することができる。
【０１２４】
さらに、限時動作瞬時復帰メーク接点３１７は、電力の供給を受けてから一定時間が経過して閉路状態になるように制御できる。そのため、マスター型のパワーコンディショナ１７Ａに接続された分散型電源から先に電力を供給し、少し時間を経過して当該分散型電源に同期してスレーブ型のパワーコンディショナ１７Ｃに接続された分散型電源から電力を供給することができる。この場合、マスター型のパワーコンディショナ１７Ａを備える需要家１００Ａに接続された開閉器４１０ＡのＯＦＦ状態からＯＮ状態になるまでの時間が、スレーブ型のパワーコンディショナ１７Ｃを備える需要家１００Ｃに接続された開閉器４１０Ｃの当該時間よりも短くなるように設定される。具体的には、開閉器４１０Ａに対応する限時動作瞬時復帰メーク接点３１７が電力の供給を受けて閉路状態になるまでの時間が、開閉器４１０Ｃに対応する当該時間よりも短くなるように設定される。
【０１２５】
＜Ｄ．システムの動作＞
ここでは、本実施の形態２に従う開閉装置６００を含む電力制御システム１１００の動作について説明する。
【０１２６】
実施の形態２に従う電力制御システム１１００における「通常時の動作」および「停電時から復電時までの動作」は、上述した実施の形態１に従う電力制御システム１０００と同様であるため、その詳細な説明は繰り返さない。ここでは、実施の形態２に従う電力制御システム１１００における「停電時の動作」について説明する。
【０１２７】
図１３は、実施の形態２に従う開閉装置６００を含む電力制御システム１１００における停電時の動作を示すフローチャートである。
【０１２８】
ステップＳ２０４、Ｓ２０６、Ｓ２０８〜Ｓ２１６の各処理は、ステップＳ１０４、Ｓ１０６、Ｓ１０８〜Ｓ１１６（図６）の各処理における系統開閉器４、開閉器１１を、それぞれ系統開閉器４００、開閉器４１０に置き換えたものに相当するため、その詳細な説明は繰り返さない。すなわち、実質的には、電力制御システム１１００における停電時の動作は、ステップＳ２０６の処理およびステップＳ２０８の処理の間に、ステップＳ２０７の処理を有する点において電力制御システム１０００における停電時の動作と異なる。
【０１２９】
ステップＳ２０７では、監視サーバ６が、通信用リレー４２０に対して開路指令を行なう。なお、通信用リレー４２０は、その近傍にバッテリ（図示しない）が設置されており、停電時でも動作可能である。
【０１３０】
＜Ｅ．実施の形態の効果＞
実施の形態２によると、さらに以下のような効果がある。
【０１３１】
系統電源（一次側）から供給される電力および分散型電源（二次側）から供給される電力の同期がとれていない状態で、それらの電力が重なることにより負荷が正常に動作しないという事態を防ぐことができる。
【０１３２】
一次側の系統電源の電力と二次側の分散型電源の電力との同期の不一致状態を確実に回避することができる。
【０１３３】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１３４】
１  高圧系統、２  柱上変圧器、３  低圧系統、４，４００  系統開閉器、５，４２０  通信用リレー、６  監視サーバ、７  通信回線、８  通信子局、９  無線サーバ、１０，２０  コントローラ、１１，４１０  開閉器、１２  スマートメータ、１３  負荷、１４  太陽光発電装置、１５  蓄電池、１６  電気自動車、１７  パワーコンディショナ、４０，４３，４６  投入コイル、４１，４４，４７  引き外しコイル、４２，４５，４８  主接点、５１，５２，５３，６１，６２，６３，６６，６７  配線、５４，５６，６４  ＯＮ信号配線、５５，５７，６５  ＯＦＦ信号配線、７１  ダイオード、７２  抵抗、７３  コンデンサ、７４  バリスタ、８１，８２，８３  接続端子、８６  瞬時動作限時復帰ブレーク接点、１００  需要家、２００，２１０，２２０，３００，３１０，３１１，３１２，３１３  制御リレー、２０１，２１１，２２１  接点、２０２，２１２，２２２，３０２，３１８，３１９，３２０，３２１  操作コイル、３０１，３１４，３１６  ブレーク接点、３０３，３２２，３３０  補助ブレーク接点、３１５  メーク接点、３１７  限時動作瞬時復帰メーク接点、５００，６００  開閉装置、１０００，１１００  電力制御システム。
【図１】
2014171378.tif 000003
【図２】
2014171378.tif 000004
【図３】
2014171378.tif 000005
【図４】
2014171378.tif 000006
【図５】
2014171378.tif 000007
【図６】
2014171378.tif 000008
【図７】
2014171378.tif 000009
【図８】
2014171378.tif 000010
【図９】
2014171378.tif 000011
【図１０】
2014171378.tif 000012
【図１１】
2014171378.tif 000013
【図１２】
2014171378.tif 000014
【図１３】
2014171378.tif 000015